(57)【要約】  電力を電源から電子モバイルデバイスへ提供するためのケーブルであって、前記ケーブルは、前記ケーブルをモバイルデバイスに接続するための、前記ケーブルの第1の末端の第一コネクタを有し、かつ前記ケーブルを前記電源に接続するための、第2の末端の第2のコネクタを有し、前記ケーブルは、モバイルデバイスへ、およびモバイルデバイスからデータのバックアップ、並びに双方向転送のための、前記第1の末端と第2の末端との間にメモリーモジュールを含む、ケーブル。【選択図】      図1
2011505031.tif 000002
【特許請求の範囲】
【請求項１】
電力を電源（11）から電子モバイルデバイス（1）へ提供するためのケーブル（8）であって、前記ケーブル（8）は、前記ケーブル（8）をモバイルデバイス（1）に接続するための、前記ケーブル（8）の第1の末端（16）の第一コネクタ（9）を有し、かつ前記ケーブル（8）を前記電源（11）に接続するための、第2の末端（17）の第2のコネクタ（10）を有し、前記ケーブル（8）は、モバイルデバイス（1）へ、およびモバイルデバイス（1）からデータのバックアップ、並びに双方向転送のための、前記第1の末端（16）と第2の末端（17）との間にメモリーモジュール（12）を含む、ケーブル（8）。
【請求項２】
前記第１の末端（16）が、第1のケーブル部（8'）の一部であり、かつ前記第2の末端（17）が、第1のケーブル部（8''）の一部であり、両ケーブル部（8'、8''）が、前記メモリーモジュール（12）に直接および取り外し不可能に固定されている、請求項１に記載のケーブル。
【請求項３】
前記メモリーモジュールがデジタルデータバスおよびメモリーカードインタフェースを含む、請求項1または2に記載のケーブル。
【請求項４】
前記メモリーカードインタフェースが取り外し可能なメモリーカードのためのレセプタクルである、請求項3に記載のケーブル。
【請求項５】
前記メモリーモジュールがUSBフラッシュドライブ用のUSBインタフェースを含む、前述の請求項いずれか1項に記載のケーブル。
【請求項６】
前記USBインタフェースがUSBフラッシュドライブ用のレセプタクルである、請求項5に記載のケーブル。
【請求項７】
前記ケーブルがUSBケーブルであり、かつ前記第1のコネクタがUSBコネクタまたはUSB
OTGを含むその変形であり、かつ前記第2のコネクタがUSBコネクタである、前述の請求項のいずれか1項に記載のケーブル。
【請求項８】
前記第1のコネクタが独自のコネクタであり、かつ前第2のコネクタがUSBコネクタである、請求項1〜6のいずれか1項に記載のケーブル。
【請求項９】
前記第1の末端に向かうケーブルが前記モバイルデバイスのデータポートに接続されたときのデータ転送のためのUSBコネクタもしくはUSB OTGを含むその変形または独自のコネクタと、前記モバイルデバイスの充電ポートに接続するための別個の充電コネクタとに分かれる、請求項1〜6のいずれか1項に記載のケーブル。
【請求項１０】
前記メモリーモジュールが前記モバイルデバイスから電力供給される、前述の請求項のいずれか1項に記載のケーブル。
【請求項１１】
前記メモリーモジュールが電源から電力供給される、前述の請求項のいずれか1項に記載のケーブル。
【請求項１２】
モバイルデバイスと組み合わせた前述の請求項のいずれか1項に記載のケーブルであって、前記モバイルデバイス（1）が種々のオペレーティングモードにおいてスレーブとして動作するためのマスターおよびメモリーモジュール（12）として動作するように構成される、ケーブル。
【請求項１３】
モバイルデバイス（1）と組み合わせた請求項1〜11のいずれか1項に記載のケーブルであって、前記メモリーモジュール（12）が種々のオペレーティングモードにおいてスレーブとして動作するモバイルデバイスと共にマスターとして動作するために構成されたマイクロコントローラを含む、ケーブル。
【請求項１４】
前記マスターが、前記モバイルデバイス（1）から前記メモリーモジュール（12）へ全てのユーザーデータを開始し、および転送するためのユーザーコマンドを受けるように構成される、請求項12または13に記載の組み合わせ。
【請求項１５】
前記マスターがモバイルデバイス（1）から前記メモリーモジュール（12）へ全てのユーザーデータを開始し、および転送するためのユーザーコマンドを要求するように構成される、請求項12〜14のいずれか1項に記載の組み合わせ。
【請求項１６】
前記マスターが、前記モバイルデバイス（1）に対する前記ケーブル（8）の接続に対する応答として、前記モバイルデバイスから前記メモリーモジュール（12）への全てのユーザーデータのバックアップを自動的に開始するように構成される、請求項12〜14のいずれか1項に記載の組み合わせ。
【請求項１７】
前記マスターがデータ選択のために、および前記モバイルデバイス（1）から前記メモリーモジュール（12）に、または前記メモリーモジュール（12）から前記モバイルデバイス（1）に選択データを開始し、および転送するためのユーザーコマンドを受けるように構成される、請求項12〜16のいずれか1項に記載の組み合わせ。
【請求項１８】
前記モバイルデバイスがデータ記憶のために前記モバイルデバイス（1）内部にメモリーカード（7）を有し、前記ケーブル（8）は、前記モバイルデバイス（1）のメモリーカード（7）と同じタイプのメモリーカード（14）をもつメモリーモジュール（12）を有する、請求項12〜17のいずれか1項に記載の組み合わせ。
【請求項１９】
前記モバイルデバイスが前記モバイルデバイス内部の前記メモリーカード（14）に全てのユーザーデータを自動的に格納するために、および前記モバイルデバイスの内蔵メモリをいずれのユーザーデータがない状態に保つように構成される、請求項12〜18のいずれか1項に記載の組み合わせ。
【請求項２０】
前記モバイルデバイスが、前記モバイルデバイスに新たなメモリーカードを挿入後のスタート手順の一部として、前記モバイルデバイス内部の取り外し可能なメモリーカード上に、デフォルトディレクトリおよびファイル構造を作製するためのユーザーコマンドを受けるように構成される、請求項12〜19のいずれか1項に記載の組み合わせ。
【発明の詳細な説明】
【技術分野】
【０００１】
本発明は、モバイルデバイス、たとえば携帯電話への、およびからのバックアップ、並びに双方向データ転送に関する。
【背景技術】
【０００２】
モバイルデバイス（たとえば携帯電話）を失ったときに、ユーザーは、モバイルデバイスからデータをバックアップしていないため、典型的には大量の個人データが失われる。データのバックアップには、通常、コンピュータ、たとえばパーソナルコンピュータまたはリモートサーバに接続すること、並びに定期的に意識する時間およびユーザーの側に労力が必要である。しかし、モバイルデバイスの多くのユーザーは、常にコンピュータに対して手早く、かつ簡単なアクセスを有しておらず、彼らがデータの定期的および頻繁なバックアップするのを妨げている。加えて、多くのユーザーは、忘れてしまうだけでなく、データの定期的および頻繁なバックアップのためのごく短い時間も有していない。
【０００３】
Kobayashiによる米国特許出願第2003/0098670号は、携帯電話内部のメモリに貯蔵された種々のデータを読み出して、これらを格納するデータバックアップ機能および携帯電話内部のメモリに種々のバックアップデータを書き込む再記録機能をもつ電話充電器を開示する。電話充電器は、直接またはケーブルによって電話に接続される。充電器は、家庭用電動ソケットから、または乾電池から電源供給される。Maurilusによる米国特許出願第2006/0158154号は、バックアップメモリをもつ電話充電器を開示する。一旦電話が充電器に接続されると、1次メモリからのデータがバックアップメモリにバックアップされる。Osakaによる欧州特許出願第EP 1 583 199号は、デスクトップが充電およびデータバックアップ機能を有する携帯電話用のデスクトップホルダーを開示する。
【０００４】
これらのシステムは、充電器が存在する場合に、デスクトップバックアップが可能なだけであり、ユーザーにとって不都合を有する。充電器は大きいので、ユーザーが、典型的には充電器が貯蔵されている自宅またはオフィスにていない限り、ユーザーが手元に充電器を有することはないであろう。
【０００５】
モバイルデバイスに、およびモバイルデバイスからのデータのバックアップおよび双方向転送のための使いやすいシステムであって、システムが運搬容易であるだけでなく、電話がその他の電源、たとえばコンピュータ、自動車の充電器その他を介して充電されるときでも適用できるシステムを提供することが望ましい。
【発明の概要】
【０００６】
発明の目的
モバイルデバイスへの、およびからのデータのバックアップおよび双方向転送のための使いやすいシステムであって、運搬容易な、および電話がその他の電源を介して充電されるときに適用できるシステムを提供することが発明の目的である。
【０００７】
本発明の記述
この目的は、モバイルデバイスへ、およびモバイルデバイスから電源、たとえばUSB充電器、コンピュータなどから電子モバイルデバイスへ電力を提供するためのケーブルであって、ケーブルは、ケーブルをモバイルデバイスに接続するための、ケーブルの第1の末端の第1のコネクタを有し、かつケーブルを電源に接続するための、第2の末端の第2のコネクタを有し、ケーブルは、モバイルデバイスへ、およびモバイルデバイスからデータのバックアップ、並びに双方向転送のための、第1の末端と第2の末端との間にメモリーモジュールを含むケーブルで達成される。
【０００８】
ケーブルは、充電器、デスクトップホルダーおよび電力供給を含まないので、これは、従来技術システムよりもずっとユーザーフレンドリーで、運搬容易である。バックアップメモリーモジュールは、非常に小さく、かつ軽い重量で作製することができ、その結果、ケーブルは、ポケットで容易に運搬することができる。
【０００９】
好ましい解決において、第1の末端は、第1のケーブル部の一部であり、かつ第2の末端は、第2のケーブル部の一部であり、両ケーブル部は、メモリーモジュールに直接および取り外し不可能に固定されている。取り外し不可能にという用語は、メモリーモジュールからのケーブル部の除去により、ケーブルおよびメモリーモジュールが破壊することを暗示する。
【００１０】
メモリーモジュールのメモリは、メモリーモジュールにおいて取り外し不可能に組み込まれていてもよい。「取り外し不可能に組み込まれた」という用語は、メモリがモジュールから取り外された形態である場合に、メモリーモジュールが破損することが理解される。しかし、好ましくは、メモリーモジュールのメモリは、取り外し可能である。任意に、メモリーモジュールは、マイクロコントローラを含むが、以下から明らかであろうとおり、これは、種々の適用において必要ではない。
【００１１】
実用的な態様において、メモリーモジュールは、デジタルデータバスおよびメモリーカードインタフェースを含む。好ましくは、メモリーカードインタフェースは、取り外し可能なメモリーカードのためのレセプタクルを含み、たとえば、レセプタクルは、フラッシュメモリカードのためのスロットである。
【００１２】
加えて、メモリーモジュールは、USBインタフェース、すなわちUSBフラッシュドライブのためのレセプタクルを含んでいてもよい。
【００１３】
実用的な態様において、ケーブルは、USBケーブルであり、かつ第1のコネクタは、USBコネクタ（またはUSB
OTGを含むその変形）であり、かつ第2のコネクタは、USBコネクタである。
【００１４】
あるいは、第1のコネクタは、独自のコネクタであり、かつ第2のコネクタは、USBコネクタである。
【００１５】
このようなケーブルは、モバイルデバイスの充電する操作と同時に、モバイルデバイスへの、およびからのデータのバックアップおよび双方向転送のために、USB充電器、コンピュータその他などのモバイルデバイスおよび電源に都合よく接続することができる。
【００１６】
モバイルデバイス、たとえば電話が、データポートとしても機能する充電ポートを有さない場合には、モバイルデバイスに接続するケーブルのその末端は、2つのコネクタに別れ、／バフィリケートする（bufircates）し、この場合、一方のコネクタは、モバイルデバイスのデータポート（たとえばUSB OTGまたは独自のコネクタを含むマイクロUSBまたはその変形）へのデータの転送のために使用され、およびもう一方のコネクタは、たとえば標準的な充電コネクタとして、またはモバイルデバイスのための独自の充電コネクタとして、充電ポートに接続される。
【００１７】
好ましい態様において、モバイルデバイスは、マスターとして動作し、メモリーモジュールは、スレーブとして動作する。言い換えると、モバイルデバイスは、モバイルデバイスからメモリーモジュールへの、およびメモリーモジュールからモバイルデバイスへのデータの転送を制御する。
【００１８】
たとえば、モバイルデバイスは、モバイルデバイスからメモリーモジュールへ全てのユーザーデータまたは選択したユーザーデータを開始し、および転送するためのユーザーコマンドを要請するように構成される。
【００１９】
あるいは、モバイルデバイスは、モバイルデバイスに対するケーブルの接続に対する、および任意に、モバイルデバイスを充電するための電源に対する応答として、モバイルデバイスからメモリーモジュールへの全てのユーザーデータの自動バックアップのために構成される。
【００２０】
本状況において、メモリーモジュールがスレーブとして動作する場合、マイクロコントローラは、厳密にはメモリーモジュールに必要ではない。メモリーモジュールが、マイクロコントローラを有さない場合、生産費は、より低くなり、これは、生産面でより単純であり、かつ低価格であるために、商業的に有利であろう。
【００２１】
その他の態様において、メモリーモジュールは、マイクロコントローラを含み、かつマスターとして動作し、およびモバイルデバイスは、スレーブとして動作する。言い換えると、メモリーモジュールは、モバイルデバイスからメモリーモジュールへの、およびメモリーモジュールからモバイルデバイスへのデータの転送を制御する。
【００２２】
たとえば、マイクロコントローラをもつメモリーモジュールは、メモリーモジュールのメモリーカードもしくはUSBフラッシュドライブからモバイルデバイスへの全てのデータまたは選択したデータの読み込み、および転送を開始するためのユーザーコマンドを受けるように構成される。
【００２３】
さらなる例として、モバイルデバイスは、モバイルデバイスに対する、および任意に、モバイルデバイスを充電するための電源に対するケーブルの接続に対する応答として、モバイルデバイスからメモリーモジュールへの全てのユーザーデータの自動バックアップのように構成される。
【００２４】
ケーブルは、いつでも、バックアップ（自動）もしくは復元／スイッチ機能の後に、またはメモリーモジュール上のトグルスイッチを経てユーザーコマンドで、標準的なUSBケーブルとして自動的に、作用するように構成してもよい。
【００２５】
モバイルデバイス、たとえば携帯電話がバックアップ設備のためにインストールされた対応するプログラムを有さない場合において、メモリーモジュールをもつケーブルは、たとえばモバイルデバイスにおける対応するプログラムをチェック後にバックアップ機能をスリープモードへとセットすることにより、標準的なUSBケーブルとして動作するために都合よく構成してもよい。
【００２６】
好ましくは、モバイルデバイスは、データ記憶のための取り外し可能なメモリーカードを有し、かつケーブルは、好ましくはモバイルデバイスのメモリーカードと同じタイプの取り外し可能なメモリーカードをもつメモリーモジュールを有する。
【００２７】
さらなる態様において、モバイルデバイスは、取り外し可能な全てのユーザーデータをモバイルデバイス内部のメモリーカードに自動的に格納するために、およびモバイルデバイスの内蔵メモリを任意のユーザーデータがない状態に保つように構成される。
【００２８】
任意に、モバイルデバイスは、モバイルデバイスへの新たなメモリーカードの挿入後に、スタート手順の一部として、モバイルデバイス内部の取り外し可能なメモリーカード上にデフォルトディレクトリおよびファイル構造を自動的に作製するように構成される。
【００２９】
本発明は、図面を参照して更に詳細に記述されるであろう。
【図面の簡単な説明】
【００３０】
【図１】モバイルデバイスの例を示す。
【図２】本発明の第一の態様を示す。
【図３】本発明の第2の態様を示す。
【発明を実施するための形態】
【００３１】
発明の詳細な説明
図1は、モバイルデバイス1、たとえば携帯電話またはPDAを示す。モバイルデバイス1は、ナビゲーションボタン4と共にディスプレイスクリーン2およびキーパッド3を有する。加えて、これは、メモリーカード、たとえばマイクロSDまたはミニSDのための第1インタフェース5、マイクロUSB、ミニUSB、USB OTGまたはその他の独自のインタフェースのための第2インタフェース6を有する。
【００３２】
モバイルデバイス1は、モバイルデバイスの内蔵メモリが任意のユーザーデータを格納するために使用されないように、全てのユーザーデータをモバイルデバイス内部の取り外し可能なメモリーカード7に自動的に格納するように構成される。
【００３３】
あるいは、内蔵メモリは、ユーザーデータを格納するために使用されるが、しかし、全てのこれらのデータは、メモリーカードにも貯蔵される。
【００３４】
モバイルデバイスは、ユーザーコマンドおよび制御の下で、モバイルデバイス1への新たなメモリーカード7の挿入後に、スタート手順の一部として、取り外し可能なメモリーカード7にデフォルトディレクトリおよびファイル構造を書き込む。
【００３５】
図2は、ケーブル8の第1の末端16に第1のコネクタ9を有するケーブル8を示し、第1のコネクタは、モバイルデバイスインタフェース6へのプラギングのためのマイクロUSBまたはミニUSBまたはUSB OTGまたは独自のコネクタである。ケーブル8は、第2の末端17にて第2のコネクタ10を有し、好ましくは電源11、たとえば充電器またはコンピュータへのプラギングのためのUSBコネクタ10である。さらにまた、ケーブルは、コネクタ9と10との間に、メモリーモジュール12を有する。メモリーモジュール12は、メモリーカード14、好ましくはマイクロSDまたはミニSDカードを受けるために使用される、メモリーカードインタフェース13、好ましくは、マイクロSDまたはミニSDカードインタフェースを有する。
【００３６】
図3は、以下を有するケーブル8の代わりの態様を示す：
1）モバイルデバイスインタフェース1に差し込むためのマイクロUSBまたはミニUSB、またはUSB
OTGまたは独自のコネクタ9
2）電源11（たとえば、充電器またはコンピュータ）に差し込むためのUSBコネクタ10
3）メモリーモジュール12
4）マイクロSDまたはミニSDまたはその他のメモリーカードインタフェース13
5）マイクロSDまたはミニSDまたはその他のメモリーカード14
6）USBインタフェース15 
7）USBフラッシュドライブ18。
【００３７】
図2および図3において示したように、第1の末端16は、第1のケーブル部8'の一部であり、かつ第2の末端17は、第2のケーブル部8''の一部であり、両ケーブル部8'、8''は、メモリーモジュール12に直接および取り外し不可能に固定され、したがって、ケーブルの一体部分であるメモリーモジュールは、その結果として、ケーブル8およびメモリーモジュール12を破壊することなく、ケーブル8から取り外すこと、または除去することができない。
【００３８】
また、本発明は、代わりの解決を含む。メモリーモジュール12がUSB（またはUSB OTGを含むその変形）コネクタなどのコネクタをそれ自体で提供してもよく、その結果、それがモバイルデバイスに対する一つのUSBケーブルまたはUSB様のケーブル（一端に独自（propriety）コネクタおよび他方にてUSBコネクタ）と、電源に対するもう一つのUSBケーブルと接続することができる。次いで、メモリーモジュールは、モバイルデバイス用のバックアップメモリとして動くが、電源からモバイルデバイスへの電源供給に関して即応型である。また、このようなモジュールは、取り外し可能なメモリーカード用のメモリカードレセプタクルを有してもよく、およびUSBフラッシュドライブインタフェースを有してもよい。あるいは、メモリーモジュールのメモリは、メモリーモジュールから取り外すことができない。選択肢として、メモリーモジュールは、さらにマイクロコントローラを含んでいてもよい。
【００３９】
全ての上記態様において、メモリーモジュールは、モバイルデバイスまたは電源のいずれかから電力供給される。
【００４０】
モバイルデバイスは、マスターとして動作し、およびメモリーモジュールは、種々のオペレーティングモードにおいてスレーブとして動作する。
【００４１】
オペレーティングモード1
モバイルデバイス1は、ユーザーコマンドおよび制御の下で、モバイルデバイス1のメモリーカード7からメモリーモジュール12へ、インタフェース6およびコネクタ9をわたって全てのユーザーデータを開始し、および転送する。全てのユーザーデータは、図3の態様にて図示したように、ユーザーコマンドおよび制御の下で、メモリーカード14またはメモリーモジュール12のUSBフラッシュドライブ19のいずれかに、バックアップすることができる。この動作モードのためには、電源接続が必要であっても、または必要なくてもよい。
【００４２】
加えて、または代わりに、モバイルデバイス1は、モバイルデバイス1に対する、および任意に、モバイルデバイス1を充電するための電源11に対するケーブル8の接続に対する応答として、モバイルデバイス1のメモリーカード7からメモリーモジュールのメモリーカード14に全てのユーザーデータを自動的にバックアップするために構成してもよい。
【００４３】
さらに、このモードにおいて、モバイルデバイス1のメモリーカード7からの選択データは、ユーザーコマンドおよび制御下で、メモリーモジュール12のメモリーカード14またはUSBフラッシュドライブ18上のいずれかのデータを複製すること、または追加することができる。メモリーモジュール12のメモリーカード14またはUSBフラッシュドライブ18上のデータは、コンピュータまたは別のモバイルデバイスなどのその他の供与源から得てもよかった。電源接続が、この操作モードのために必要であっても、またはなくてもよい。
【００４４】
オペレーティングモード2
モバイルデバイスは、ユーザーコマンドおよび制御下で、メモリーモジュール12のメモリーカード14またはUSBフラッシュドライブ18からのいずれかの選択データをメモリーモジュール12をマスタリングすることにより、インタフェース6およびコネクタ9をわたってモバイルデバイス1に読み込み、および転送する。選択データは、ユーザーコマンドおよび制御下で、モバイルデバイス1のメモリーカード7上のデータに、複製すること、または追加することができる。メモリーモジュール12のメモリーカード14またはUSBフラッシュドライブ18上のデータは、コンピュータまたは別のモバイルデバイスなどのその他の供与源から得てもよかった。電源接続が、この操作モードのために必要であっても、またはなくてもよい。
【００４５】
あるいは、メモリーモジュール12は、マイクロコントローラを含み、マスターとして動作し、モバイルデバイス1は、種々のオペレーティングモードおいてスレーブとして動作する。
【００４６】
状況1
モバイル機器ユーザーは、彼らが定期的に電話をする彼らに親しい家族および友人の電話番号さえ記憶していない程、彼らの電話帳のその他の人はいうまでもなく、携帯電話などのモバイルデバイス1に頼っている。
【００４７】
しばしば、ユーザーは、彼らが電話を充電するのを忘れてしまったか、または彼らが長くそれを使用したか、いずれかのために、彼らのモバイルデバイスバッテリが死んでいることにより、屋外の時に不注意な状況となる。こうした状況では、彼らは、彼ら自身が連絡切断されて／停止されていることがわかる。彼らは、彼らが一般に彼らの電話番号を記憶していないので、彼らが考える人々または望む人々に電話すること／連絡することができないか、またはモバイルデバイスがバッテリを有さないため、その他の人は、彼らに電話すること／連絡することができない。
【００４８】
一般に、ユーザーは、彼らと共に充電器を有していない。次に、電話を充電し、および彼らがモバイルデバイスから必要とする情報を得るために、充電器をもつ他の誰かを見つけることは不可能である。
【００４９】
上記の状況において、本発明により、ユーザーは、単に彼らのモバイルデバイスの取り外し可能なメモリーカードを他の誰かの電池生命があるモバイルデバイスに入れることができ、彼らが必要とする情報を得ることができる。全てのユーザーデータは、モバイルデバイス1の取り外し可能なメモリーカード7に完全に含まれているので、これは、そのとおりである。
【００５０】
状況2
ユーザーは、定期的に彼らのモバイルデバイスを変え／アップグレードする。彼らがそうするときに、彼らは彼らの既存のモバイルデバイスから彼らの新たなモバイルデバイスへ全ての彼らのデータを転送することを望む。
【００５１】
上記の状況において、本発明により、ユーザーは、単に彼らの既存のモバイル機器から彼らの新たなモバイルデバイスに取り外し可能なメモリーカードを入れることができる。全てのユーザーデータは、モバイルデバイス1の取り外し可能なメモリーカード7に完全に含まれるので、これは、そのとおりである。あるいは、ユーザーは、メモリーモジュール12から新たなモバイルデバイス1へデータを転送することができる。
【００５２】
新たなモバイルデバイスが異なるコネクタを有する場合、ユーザーは、メモリーモジュール12から対応するコネクタをもつ新たなケーブルのメモリーモジュールに取り外し可能なメモリーカードを入れて、（新たなケーブル上の）新たなメモリーモジュールから新たなモバイルデバイスへデータを転送することができる。
【００５３】
状況3
モバイル機器は、ますます、ファッションアクセサリとなってきており、ユーザーは、複数のモバイルデバイスを有し、異なる目的／場合のために異なるモバイル機器を使用することを好む。彼らは、全ての彼らの最新のデータを全ての彼らのモバイルデバイス上で容易に利用できることを望む。
【００５４】
上記の状況において、本発明により、ユーザーは、単に彼らが最後に使用した彼らのモバイルデバイスから、および彼らが使用したいその他のモバイルデバイスに、取り外し可能なメモリーカードを入れることができる。全てのユーザーデータは、モバイルデバイス1の取り外し可能なメモリーカード7に完全に含まれるので、これは、そのとおりである。
【００５５】
モバイルデバイスユーザーが異なるコネクタを有するものを使用したい場合、ユーザーは、メモリーモジュール12から、対応するコネクタをもつ新たなケーブルのメモリーモジュールに取り外し可能なメモリーカードを入れて、（新たなケーブル上の）新たなメモリーモジュールからユーザーが使用したいモバイルデバイスへデータを転送することができる。
【００５６】
状況4
モバイル機器は、たいてい曲げられたり、または床もしくは水に落とされたりする。これらは、モバイルデバイスの機械的または電気的な故障の結果として生じ得る。時々、これらの故障は、修理不可能か、またはモバイルデバイスを交換するよりも修理する方が高価である。
【００５７】
上記の状況において、本発明により、ユーザーは、単に（破損を受けた）彼らの既存のモバイルデバイスから彼らの新たなモバイルデバイスに取り外し可能なメモリーカードを入れることができる。また、メモリーカードが破損を受けていた場合、ユーザーは、ケーブル8のメモリーモジュール12から取り外し可能なメモリーカードを使用することができる。あるいは、ユーザーは、メモリーモジュール12から新たなモバイルデバイス1へデータを転送することができる。
【００５８】
新たなモバイルデバイスが異なるコネクタを有する場合、ユーザーは、メモリーモジュール12から、対応するコネクタをもつ新たなケーブルのメモリーモジュールに取り外し可能なメモリーカードを入れて、（新たなケーブル上の）新たなメモリーモジュールから新たなモバイルデバイスへデータを転送することができる。
【００５９】
状況5
モバイル機器、たとえば自動車電話は、失われ、または盗まれることが多い。モバイルデバイスがどのようにして行方がわからなくなるかにかかわらず、これは、モバイルデバイスそれ自体を失ったことを意味するだけでなく、モバイルデバイスの全てのユーザー情報の喪失を意味する。多くの例において、この情報の喪失は、モバイルデバイスそれ自体の喪失よりも元に戻すのが困難でもあろう。失われた情報を元に戻すことは、不可能であるかもしれない。
【００６０】
上記の状況において、本発明により、ユーザーは、単にケーブル8のメモリーモジュール12から彼らの新たなモバイルデバイス1に、メモリーカード14を入れることができる。あるいは、ユーザーは、メモリーモジュール12から新たなモバイルデバイス1へデータを転送することができる。
【００６１】
新たなモバイルデバイスが異なるコネクタを有する場合、ユーザーは、メモリーモジュール12から、対応するコネクタをもつ新たなケーブルのメモリーモジュールに取り外し可能なメモリーカードを入れて、（新たなケーブル上の）新たなメモリーモジュールから新たなモバイルデバイスへデータを転送することができる。
【００６２】
状況6
時に、ユーザーは、過失または誤った操作のために一定の情報を消去し／失う。
【００６３】
上記の状況において、本発明により、ユーザーは、単にモバイルデバイス1の取り外し可能なメモリーカード7およびメモリーモジュール12のそのメモリーカード14を交換することができる。あるいは、ユーザーは、メモリーモジュール12からモバイルデバイス1へ失われたデータを転送することができる。
【図１】
2011505031.tif 000003
【図２】
2011505031.tif 000004
【図３】
2011505031.tif 000005
【手続補正書】
【提出日】平成22年6月30日(2010.6.30)
【手続補正１】
【補正対象書類名】特許請求の範囲
【補正対象項目名】全文
【補正方法】変更
【補正の内容】
【特許請求の範囲】
【請求項１】
電力を電源（11）から電子モバイルデバイス（1）へ提供するためのケーブル（8）であって、前記ケーブル（8）は、充電器またはその他のタイプの電源を含まず、かつ前記ケーブル（8）をモバイルデバイス（1）に接続するための、前記ケーブル（8）の第1の末端（16）の第1のコネクタ（9）を有し、かつ前記ケーブル（8）を前記電源（11）に接続するための、第2の末端（17）の第2のコネクタ（10）を有し、前記ケーブル（8）は、モバイルデバイス（1）へ、およびモバイルデバイス（1）からデータのバックアップ、並びに双方向転送のための、前記第1の末端（16）と第2の末端（17）との間にメモリーモジュール（12）を含み、
前記第1のコネクタは、独自のコネクタであり、かつ前記第2のコネクタは、USBコネクタであるか；または
前記ケーブルは、USBケーブルであり、かつ前記第1のコネクタは、USBコネクタまたはUSB OTGを含むその変形であり、かつ前記第2のコネクタは、USBコネクタである、ケーブル（8）。
【請求項２】
前記第１の末端（16）が、第1のケーブル部（8'）の一部であり、かつ前記第2の末端（17）が、第1のケーブル部（8''）の一部であり、両ケーブル部（8'、8''）が、前記メモリーモジュール（12）に直接および取り外し不可能に固定されている、請求項１に記載のケーブル。
【請求項３】
前記メモリーモジュールがデジタルデータバスおよびメモリーカードインタフェースを含む、請求項1または2に記載のケーブル。
【請求項４】
前記メモリーカードインタフェースが取り外し可能なメモリーカードのためのレセプタクルである、請求項3に記載のケーブル。
【請求項５】
前記メモリーモジュールがUSBフラッシュドライブ用のUSBインタフェースを含む、前述の請求項いずれか1項に記載のケーブル。
【請求項６】
前記USBインタフェースがUSBフラッシュドライブ用のレセプタクルである、請求項5に記載のケーブル。
【請求項７】
前記第1の末端に向かうケーブルが前記モバイルデバイスのデータポートに接続されたときのデータ転送のためのUSBコネクタもしくはUSB OTGを含むその変形または独自のコネクタと、前記モバイルデバイスの充電ポートに接続するための別個の充電コネクタとに分かれる、前述の請求項のいずれか1項に記載のケーブル。
【請求項８】
前記メモリーモジュールが前記モバイルデバイスから電力供給される、前述の請求項のいずれか1項に記載のケーブル。
【請求項９】
前記メモリーモジュールが電源から電力供給される、前述の請求項のいずれか1項に記載のケーブル。
【請求項１０】
モバイルデバイスと組み合わせた前述の請求項のいずれか1項に記載のケーブルであって、前記モバイルデバイス（1）が種々のオペレーティングモードにおいてスレーブとして動作するためのマスターおよびメモリーモジュール（12）として動作するように構成される、ケーブル。
【請求項１１】
モバイルデバイス（1）と組み合わせた請求項1〜9のいずれか1項に記載のケーブルであって、前記メモリーモジュール（12）が種々のオペレーティングモードにおいてスレーブとして動作するモバイルデバイスと共にマスターとして動作するために構成されたマイクロコントローラを含む、ケーブル。
【請求項１２】
前記マスターが、前記モバイルデバイス（1）から前記メモリーモジュール（12）へ全てのユーザーデータを開始し、および転送するためのユーザーコマンドを受けるように構成される、請求項10または11に記載の組み合わせ。
【請求項１３】
前記マスターがモバイルデバイス（1）から前記メモリーモジュール（12）へ全てのユーザーデータを開始し、および転送するためのユーザーコマンドを要求するように構成される、請求項10〜12のいずれか1項に記載の組み合わせ。
【請求項１４】
前記マスターが、前記モバイルデバイス（1）に対する前記ケーブル（8）の接続に対する応答として、前記モバイルデバイスから前記メモリーモジュール（12）への全てのユーザーデータのバックアップを自動的に開始するように構成される、請求項10〜12のいずれか1項に記載の組み合わせ。
【請求項１５】
前記マスターがデータ選択のために、および前記モバイルデバイス（1）から前記メモリーモジュール（12）に、または前記メモリーモジュール（12）から前記モバイルデバイス（1）に選択データを開始し、および転送するためのユーザーコマンドを受けるように構成される、請求項10〜12のいずれか1項に記載の組み合わせ。
【請求項１６】
前記モバイルデバイスがデータ記憶のために前記モバイルデバイス（1）内部にメモリーカード（7）を有し、前記ケーブル（8）は、前記モバイルデバイス（1）のメモリーカード（7）と同じタイプのメモリーカード（14）をもつメモリーモジュール（12）を有する、請求項10〜15のいずれか1項に記載の組み合わせ。
【請求項１７】
前記モバイルデバイスが前記モバイルデバイス内部の前記メモリーカード（14）に全てのユーザーデータを自動的に格納するために、および前記モバイルデバイスの内蔵メモリをいずれのユーザーデータがない状態に保つように構成される、請求項10〜16のいずれか1項に記載の組み合わせ。
【請求項１８】
前記モバイルデバイスが、前記モバイルデバイスに新たなメモリーカードを挿入後のスタート手順の一部として、前記モバイルデバイス内部の取り外し可能なメモリーカード上に、デフォルトディレクトリおよびファイル構造を作製するためのユーザーコマンドを受けるように構成される、請求項10〜17のいずれか1項に記載の組み合わせ。
【国際調査報告】
2011505031.tif 000006
2011505031.tif 000007
2011505031.tif 000008